(57)【要約】【課題】大径の掘削チップやより硬質な材種の掘削チップを用いたりすることなく、特に掘削孔の孔底に滞留した土砂との接触による掘削チップの摩耗を抑制することが可能で、長寿命の掘削ビットを提供することを目的としている。【解決手段】ビット本体１の先端部に形成された取付孔１Ａに、掘削チップ４が、掘削チップ４の後端部を挿入して取り付けられており、掘削チップ４の後端部の外周面と取付孔１Ａの内周面との少なくとも一方には、ビット本体１の先端部に開口する凹溝７が形成されるとともに、ビット本体１内には流体供給孔５が形成されていて、この流体供給孔５は凹溝７に連通している。【選択図】図４
2014185478.tif 000002
【特許請求の範囲】
【請求項１】
ビット本体の先端部に形成された取付孔に、掘削チップが、該掘削チップの後端部を挿入して取り付けられており、上記掘削チップの後端部の外周面と上記取付孔の内周面との少なくとも一方には、上記ビット本体の先端部に開口する凹溝が形成されるとともに、上記ビット本体内には流体供給孔が形成されていて、この流体供給孔は上記凹溝に連通していることを特徴とする掘削ビット。
【請求項２】
軸線回りに回転される上記ビット本体の先端部に複数の上記掘削チップが取り付けられており、これらの掘削チップのうち上記軸線に対する径方向最外周に配設された掘削チップの少なくとも一つの上記後端部の外周面と、該掘削チップが取り付けられる上記取付孔の内周面との少なくとも一方に上記凹溝が形成されて上記流体供給孔が連通していることを特徴とする請求項１に記載の掘削ビット。
【請求項３】
軸線回りに回転される上記ビット本体の先端部に上記掘削チップが取り付けられており、上記凹溝は、上記軸線に対する径方向内周側に開口していることを特徴とする請求項１または請求項２に記載の掘削ビット。
【発明の詳細な説明】
【技術分野】
【０００１】
本発明は、ビット本体の先端部に掘削チップが配設されて岩盤等に掘削孔を形成する掘削ビットに関するものである。
【背景技術】
【０００２】
このような掘削ビットとしては、例えば特許文献１に記載されているように、軸線に沿って延びる概略多段円柱状のビット本体を有し、このビット本体の先端部に超硬合金等の硬質材料よりなる掘削チップが配設されたものが一般的に知られている。この特許文献１に記載の掘削ビットでは、ビット本体の先端部に、先端側を向くフェイス面と、このフェイス面の外周に配置されて外周側に向かうに従いビット本体の後端側に傾斜したゲージ面とが形成されて、これらフェイス面とゲージ面にそれぞれ複数の掘削チップが突出するように植設されている。
【０００３】
また、フェイス面には、ビット本体内に形成された流体排出孔が開口させられ、さらにビット本体の先端部外周には、掘削孔を形成する際に岩盤が破砕されて生成された土砂（繰り粉）を排出するための繰り粉溝が軸線方向に延びるように形成されている。なお、流体排出孔から繰り粉溝にかけてフェイス面に溝を形成して、フェイス面に植設された掘削チップによって破砕された土砂を排出し易くしたものも知られている。このような掘削ビットは、ビット本体後端部が掘削ロッドとネジ嵌合させられて軸線回りの回転力と軸線方向先端側に向けた推力および衝撃力を受け、先端部に植設された掘削チップによって岩盤を破砕して掘削孔を形成する。
【０００４】
ところで、このような掘削ビットは、掘削を行ううちに例えば鋼材等からなるビット本体が摩耗して掘削チップを保持できなくなったり、あるいはビット本体後端部のネジ部が摩耗して掘削ロッドと十分な強度でネジ嵌合できなくなったりして寿命に達することもあるが、一般的にはビット本体先端部に植設された掘削チップの摩耗、特に先端部外周のゲージ面に植設された掘削チップの摩耗により、所定の内径の掘削孔を形成することができなくなって寿命となることが多い。
【０００５】
こうした掘削チップの摩耗は、掘削孔を形成する際の掘削チップと岩盤との接触や、破砕された土砂、特に掘削孔の孔底に滞留した土砂に掘削チップが接触することによって発生するものであり、先端部でも外周側の掘削チップほど、ビット本体の１回転当たりの移動量が大きくなって岩盤や土砂との接触距離も長くなるため、顕著となる。このような掘削チップの摩耗を抑制するために、従来は特にゲージ面に大径の掘削チップを植設したり、より硬質な材種の超硬合金等によって形成された掘削チップを植設したりしていた。
【先行技術文献】
【特許文献】
【０００６】
【特許文献１】特開２００７−２７７９４６号公報
【発明の概要】
【発明が解決しようとする課題】
【０００７】
しかしながら、このような大径の掘削チップを用いることはコスト高を招いて効率的ではなく、しかも大径の掘削チップはビット本体の大きさによっては植設することができなかったり、１つのビット本体に植設可能な掘削チップ数が制限されたりする。さらに、より硬質な材種の超硬合金によって形成された掘削チップは、硬質である一方で脆く、掘削時に過大な負荷が作用したときには欠損を生じて掘削チップの摩耗による寿命の前に掘削ビットが寿命に達するおそれがある。
【０００８】
本発明は、このような背景の下になされたもので、大径の掘削チップやより硬質な材種の掘削チップを用いたりすることなく、特に掘削孔の孔底に滞留した土砂との接触による掘削チップの摩耗を抑制することが可能で、長寿命の掘削ビットを提供することを目的としている。
【課題を解決するための手段】
【０００９】
上記課題を解決して、このような目的を達成するために、本発明は、ビット本体の先端部に形成された取付孔に、掘削チップが、該掘削チップの後端部を挿入して取り付けられており、上記掘削チップの後端部の外周面と上記取付孔の内周面との少なくとも一方には、上記ビット本体の先端部に開口する凹溝が形成されるとともに、上記ビット本体内には流体供給孔が形成されていて、この流体供給孔は上記凹溝に連通していることを特徴とする。
【００１０】
上述した掘削チップの摩耗のうち、岩盤との接触による摩耗は掘削孔を形成する上で避けることはできないが、本発明の掘削ビットでは、破砕された土砂との接触による掘削チップの摩耗を抑制することができる。すなわち、上記構成の掘削ビットによれば、ビット本体の先端部に取り付けられる掘削チップの後端部の外周面と、この後端部が挿入されて掘削チップが取り付けられるビット本体先端部の取付孔の内周面との少なくとも一方に、ビット本体の先端部に開口する凹溝が形成されて、この凹溝に、ビット本体内に形成された流体供給孔が連通させられており、この流体供給孔に削孔水や圧縮空気のような流体を供給して凹溝からビット本体の先端部に噴出させることにより、岩盤が破砕されて生成された土砂、特に掘削孔の孔底に滞留した土砂を吹き飛ばして掘削チップから引き離すことができる。
【００１１】
従って、大径の掘削チップや硬質な材種の掘削チップを用いたりせずとも、このような土砂が接触して掘削チップを削り取ることにより掘削チップが摩耗するのを抑えることができ、削孔速度の低減を抑制することができるとともに、コスト高を招いたり、植設可能な掘削チップ数に制限を受けたり、あるいは掘削チップの欠損を生じたりすることなく、掘削ビットの寿命を延長することが可能となる。また、凹溝から噴出した流体によって土砂を排出することができるので、ビット本体の流体排出孔や溝を減らしたり小さくしたりすることができて、植設可能な掘削チップ数を増やすこともできる。
【００１２】
ここで、上記特許文献１に記載された一般的な掘削ビットのように軸線回りに回転される上記ビット本体の先端部に複数の上記掘削チップが配設されている場合には、上述の通り外周側の掘削チップほど摩耗が顕著となるので、これらの掘削チップのうち上記軸線に対する径方向最外周に配設された掘削チップの少なくとも一つの上記後端部の外周面と、該掘削チップが取り付けられる上記取付孔の内周面との少なくとも一方に上記凹溝が形成されて上記流体供給孔が連通しているのが望ましい。
【００１３】
また、同様に軸線回りに回転される上記ビット本体の先端部に上記掘削チップが取り付けられている場合には、上記凹溝を、上記軸線に対する径方向内周側に開口するように形成することにより、ビット本体の回転による遠心力によって流体を凹溝の外周側に位置する掘削チップに向けて吹き付けて、一層効果的に土砂の接触による摩耗を抑制することが可能となる。
【発明の効果】
【００１４】
以上説明したように、本発明によれば、大径の掘削チップやより硬質な材種の掘削チップを要したりすることなく、土砂との接触による掘削チップの摩耗を抑制することができ、掘削ビットの寿命を延長することが可能となる。
【図面の簡単な説明】
【００１５】
【図１】本発明の一実施形態を示す斜視図である。
【図２】図１に示す実施形態の正面図である。
【図３】図１に示す実施形態の側面図である。
【図４】（ａ）図１に示す実施形態の断面図、（ｂ）ビット本体の取付孔の断面図である。
【図５】（ａ）図１に示す実施形態のゲージ面に植設された掘削チップ周辺の拡大断面図、（ｂ）図５（ａ）におけるＺＺ断面図である。
【発明を実施するための形態】
【００１６】
図１ないし図５は本発明の一実施形態を示すものである。本実施形態においてビット本体１は、鋼材等の金属材料により一体に形成されて軸線Ｏを中心とした概略有底の円筒状をなしており、このビット本体１の後端部（図１において左上側部分、図３および図４において左側部分）は一定外径の円筒状のスカート部２とされるとともに、有底の底部とされるビット本体１の先端部（図１において右下側部分、図３および図４において右側部分）はスカート部２よりも外径が大径とされたリーミング部３とされている。
【００１７】
リーミング部３の先端部外周には、外周側に向かうに従い後端側に向けて傾斜する軸線Ｏを中心とした円錐台面状のゲージ面３Ａが形成されるとともに、このゲージ面３Ａの内周側には、軸線Ｏを中心とした円形をなして軸線Ｏに垂直に先端側を向くフェイス面３Ｂが形成されている。また、ゲージ面３Ａの後端側に連なるリーミング部３の外周面３Ｃは後端側に向かうに従い内周側に向けて傾斜する軸線Ｏを中心とした円錐台面状とされ、ただしその軸線Ｏに対する傾斜はゲージ面３Ａの傾斜よりも緩やかとされている。さらに、この円錐台面状の外周面３Ｃよりも後端側のリーミング部３の後端部３Ｄは、後端側に向かうに従い軸線Ｏに沿った断面が凹曲線をなして縮径した後、軸線Ｏに平行に延び、さらに一段縮径して断面凹曲線状をなしてスカート部２の外周面に接するように形成されている。
【００１８】
リーミング部３の上記ゲージ面３Ａとフェイス面３Ｂには、ビット本体１よりも硬質の超硬合金等よりなる掘削チップ４がそれぞれ複数ずつ配設されている。本実施形態における掘削チップ４は、円柱状の後端部とこの後端部の中心線Ｃ上に中心を有する凸球面状の先端部とが一体に形成されたボタンチップであり、上記ゲージ面３Ａおよびフェイス面３Ｂに形成された断面円形の取付孔１Ａに上記後端部が挿入されて焼き嵌めや圧入、ロウ付けされることにより、それぞれ上記中心線Ｃをゲージ面３Ａおよびフェイス面３Ｂに垂直として先端部をゲージ面３Ａおよびフェイス面３Ｂから突出させて植設されている。
【００１９】
また、スカート部２の内周面には図４に示すように雌ネジ部２Ａが形成されており、この雌ネジ部２Ａに、図示されない掘削ロッドの先端の雄ネジ部が螺合される。ビット本体１は、この掘削ロッドを介して削岩機から伝播される軸線Ｏ方向先端側（図１において右下側、図３および図４において右側）への推力および打撃力と、図２に示す掘削時の回転方向Ｔへの軸線Ｏ回りの回転力とにより、上記掘削チップ４によって岩盤を破砕して掘削し、掘削孔を形成してゆく。雌ネジ部２Ａへの雄ネジ部のねじ込み方向は掘削時のビット本体１の回転方向Ｔと同じとされ、掘削時の回転力によって雌ネジ部２Ａが雄ネジ部から緩むことがないようにされている。
【００２０】
さらに、スカート部２の内周部の底面からは流体供給孔５が軸線Ｏに沿って先端側に向けて延びており、この流体供給孔５はリーミング部３内で先端から複数に分岐して、その分岐孔５Ａが本実施形態ではフェイス面３Ｂにおいて軸線Ｏに対する直径方向に該軸線Ｏから等間隔をあけた２箇所に開口させられている。フェイス面３Ｂに植設される複数（本実施形態では４つ）の掘削チップ（フェイスチップ）４は、この分岐孔５Ａの開口部を避けるようにして、互いの軸線Ｏ回りの回転軌跡が軸線Ｏから僅かに外周側に離れた位置からフェイス面３Ｂの外周縁まで連続するように植設されている。
【００２１】
一方、リーミング部３の外周には、ゲージ面３Ａから軸線Ｏ方向に外周面３Ｃに延びて後端部３Ｄに開口する繰り粉溝６が形成されている。本実施形態では、溝形状が互いに異なるとともに溝幅と溝深さがともに順に大きくなる第１ないし第３の複数種の繰り粉溝６Ａ〜６Ｃが、周方向に間隔をあけて形成されている。このうち、溝幅と溝深さが最も小さい第１の繰り粉溝６Ａは軸線Ｏに直交する断面においてＶ字状をなし、周方向に等間隔に本実施形態では４条形成されている。
【００２２】
また、第１の繰り粉溝６Ａの次に溝幅および溝深さが大きい第２の繰り粉溝６Ｂと、溝幅および溝深さが最も大きい第３の繰り粉溝６Ｃとは、それぞれ２条ずつが周方向に隣接する第１の繰り粉溝６Ａの間に交互に、かつ互いに等間隔に位置するように形成されている。このうち、第２の繰り粉溝６Ｂは軸線Ｏに直交する断面が内周側に向かうに従い幅狭となる等脚台形状をなしており、ただしゲージ面３Ａへの開口部は略Ｕ字状をなしてフェイス面３Ｂがなす円に外接するようにされている。一方、第３の繰り粉溝６Ｃは断面が略凹円弧状をなし、ゲージ面３Ａへの開口部はフェイス面３Ｂと間隔をあけている。
【００２３】
さらに、溝深さが浅い第１の繰り粉溝６Ａは、ゲージ面３Ａからリーミング部３の後端部３Ｄのうち外周面３Ｃに連なる軸線Ｏに沿った断面が凹曲線をなして縮径する部分にまで形成されている。これに対して、第２、第３の繰り粉溝６Ｂ、６Ｃは、後端部３Ｄがさらに一段縮径して断面凹曲線状をなしてスカート部２の外周面に接する部分にまで形成されている。なお、正面視において、流体供給孔５の分岐孔５Ａのフェイス面３Ｂへの開口部は４条の第１の繰り粉溝６Ａのうち軸線Ｏを挟んで互いに反対に位置する２上の第１の繰り粉溝６Ａの内周側に位置し、またフェイス面３Ｂの外周縁に植設される掘削チップ４は２条の第３の繰り粉溝６Ｃの内周側に位置している。
【００２４】
ゲージ面３Ａに植設される掘削チップ（ゲージチップ）４は、これら第１ないし第３の繰り粉溝６Ａ〜６Ｃのゲージ面３Ａへの開口部の間にそれぞれ配置されており、従って本実施形態では８つの掘削チップ４がゲージ面３Ａに配設されることになる。また、第２、第３の繰り粉溝６Ｂ、６Ｃは溝幅が大きいことから、これら第２、第３の繰り粉溝６Ｂ、６Ｃを挟んで隣接する掘削チップ４同士の周方向の間隔は、第１の繰り粉溝６Ａを挟んで隣接する掘削チップ４同士の間隔よりも大きくなる。
【００２５】
そして、こうしてビット本体１に植設された掘削チップ４のうち、本実施形態では上記軸線Ｏに対する径方向最外周に配設された掘削チップ４の少なくとも一つ、すなわちゲージ面３Ａに植設された掘削チップ４の少なくとも一つの後端部の外周面と、この掘削チップ４の後端部が挿入される取付孔１Ａの内周面との少なくとも一方には、ビット本体１の先端部に開口する凹溝７が形成されている。また、この凹溝７には、軸線Ｏに沿って延びる上記流体供給孔５の先端よりも僅かに後端側からさらに分岐した連通孔５Ｂが接続されて該流体供給孔５と連通している。
【００２６】
ここで、本実施形態では、上述のようにゲージ面３Ａに植設された８つの掘削チップ４のすべてに対して、図２に示すように凹溝７が形成されている。また、本実施形態における凹溝７は取付孔１Ａの内周面に形成されていて、掘削チップ４の後端部は円柱状のままである。さらに、連通孔５Ｂは、取付孔１Ａの内径よりも小さい一定内径の円形孔が、取付孔１Ａの中心線すなわち掘削チップ４の上記中心線Ｃに平行に、かつ該中心線Ｃよりも軸線Ｏに対する径方向内周側に偏心した位置に穿設されて形成されており、この連通孔５Ｂが取付孔１Ａの内周面を切り欠くようにビット本体１の先端側に延長させられて開口することにより、凹溝７が形成されている。
【００２７】
従って、凹溝７は、ゲージ面３Ａの取付孔１Ａおよび掘削チップ４の軸線Ｏに対する径方向内周側に、１つの取付孔１Ａおよび掘削チップ４に対して１つずつ、断面凹円弧状をなして開口することになる。なお、こうして開口した凹溝７は、ゲージ面３Ａからフェイス面３Ｂの外周縁よりも内周に僅かにはみ出すようにされている。さらに、本実施形態では、フェイス面３Ｂに形成された取付孔１Ａの内周面および該取付孔１Ａに植設された掘削チップ４の後端部外周面には、凹溝７は形成されていない。
【００２８】
このように構成された掘削ビットにおいては、掘削時に掘削ロッドを介して推力および打撃力と回転力とがビット本体１に与えられるとともに、この掘削ロッドに形成されて上記雄ネジ部の先端に開口する供給路から削孔水または圧縮空気等の流体が流体供給孔５に供給される。従って、こうして供給された流体は、フェイス面３Ｂに開口した該流体供給孔５の分岐孔５Ａから噴出するとともに、連通孔５Ｂおよび凹溝７を介してビット本体１の先端部に噴出する。
【００２９】
このため、上記構成の掘削ビットによれば、この凹溝７から噴出した流体により、該凹溝７が形成された取付孔１Ａに植設された掘削チップ４に接触しようとする土砂、特に掘削孔の孔底に滞留した土砂を吹き飛ばして引き離すように遠ざけることができる。従って、大径の掘削チップを用いたり、より硬質の材種によって掘削チップを形成したりせずとも、このような土砂の接触による掘削チップ４の摩耗を抑制することができ、削孔速度の低減を抑制することができるとともに、掘削ビットが高コストとなったり、ビット本体１に植設可能な掘削チップの数が制限されたり、あるいは高硬度で脆い掘削チップを用いたために欠損を生じたりするようなことなく、掘削ビットの寿命を延長することが可能となる。
【００３０】
そればかりか、上記構成の掘削ビットでは、こうして凹溝７から噴出した流体によって土砂を吹き飛ばして排出することができるので、ビット本体１のフェイス面３Ｂに開口する流体供給孔５の分岐孔５Ａを減らしたり小さくしたりすることができるため、フェイス面３Ｂに植設される掘削チップ４を大きくしたり、植設される掘削チップ４の数を増やすことが可能となって、該掘削チップ４の摩耗をさらに抑制することができる。
【００３１】
また、本実施形態では、ビット本体１に植設された掘削チップ４のうち、リーミング部３先端の軸線Ｏに対する径方向最外周のゲージ面３Ａに植設された掘削チップ４が取り付けられる取付孔１Ａに凹溝７が形成されて流体が噴出可能とされている。しかるに、このような径方向最外周のゲージ面３Ａに植設される掘削チップ４は、軸線Ｏからの間隔が大きいためにビット本体１の１回転当たりの掘削量が多く、従って摩耗も顕著となりがちであるが、そのような掘削チップ４に近接して開口した凹溝７から流体を噴出して摩耗を抑制することにより、本実施形態によれば、他の掘削チップ４との摩耗のバランスを図ることができる。
【００３２】
しかも、本実施形態では、こうして軸線Ｏ回りに回転されるビット本体１の先端部に取り付けられた掘削チップ４に対して、その軸線Ｏに対する径方向内周側に凹溝７が開口するように形成されており、凹溝７から噴出した流体を、ビット本体１の回転による遠心力によって該凹溝７の外周側に位置する掘削チップ４に向けて吹き付けるようにして土砂を遠ざけることができる。このため、一層効果的に土砂の接触による掘削チップ４の摩耗を抑制することが可能となり、掘削ビットの寿命をさらに延長することができる。
【００３３】
なお、本実施形態では掘削チップ４の後端部が挿入されて取り付けられる取付孔１Ａの内周面に凹溝７が形成されて流体が噴出可能とされているが、掘削チップ４の後端部にビット本体１先端部に開口する凹溝を形成して流体供給孔５と連通させることにより流体を噴出可能としてもよい。また、取付孔１Ａ内周面と掘削チップ４の後端部外周面の双方に凹溝を形成してもよく、この場合には双方の凹溝の周方向の位置が一致していてもよく、一致していなくてもよい。
【００３４】
さらに、本実施形態では、ビット本体１の最外周のゲージ面３Ａに植設された掘削チップ４が取り付けられる取付孔１Ａのすべてに凹溝７を形成して流体を噴出可能としているが、ゲージ面３Ａに植設された掘削チップ４の一部や、フェイス面３Ｂに植設された掘削チップ４の一部あるいは全部に対して凹溝が形成されていてもよい。また、本実施形態では１つの取付孔１Ａに１つの凹溝７が形成されているが、複数の凹溝が形成されていてもよく、さらに、凹溝７は、ビット本体１の軸線Ｏに対する径方向内周側のみに開口しているが、内周側以外の部分にのみ開口していてもよく、複数の凹溝を形成した場合には内周側とそれ以外の部分に開口していてもよい。
【符号の説明】
【００３５】
１  ビット本体
１Ａ  取付孔
２  スカート部
３  リーミング部
３Ａ  ゲージ面
３Ｂ  フェイス面
３Ｃ  リーミング部３の外周面
３Ｄ  リーミング部３の後端部
４  掘削チップ
５  流体供給孔
５Ａ  分岐孔
５Ｂ  連通孔
６（６Ａ〜６Ｃ）  繰り粉溝
７  凹溝
Ｏ  ビット本体１の軸線
Ｔ  掘削時のビット本体１の回転方向
【図１】
2014185478.tif 000003
【図２】
2014185478.tif 000004
【図３】
2014185478.tif 000005
【図４】
2014185478.tif 000006
【図５】
2014185478.tif 000007